(57)【特許請求の範囲】
【請求項１】
投入口と本機とを結ぶ通路の上流側と下流側とに、遊技メダル等の投入物の移動方向と交差する上下方向に投入物の通過を検出する２つづつのフォトセンサを設け、これら上流側と下流側のフォトセンサからの検出情報に基づき投入物を本機に受け入れるか否かを判定する遊技メダル等の受入判定装置において、上流側の２つのフォトセンサは、電気的に直列に接続し、下流側の２つのフォトセンサは、電気的に並列に接続して設けたことを特徴とする遊技メダル等の受入判定装置。
【発明の詳細な説明】
【０００１】
【発明の属する技術分野】
この発明は、例えばスロットマシン等の遊技機や自動販売機に設けられ、投入された遊技メダルや硬貨を本機に受け入れるか否かを判定する遊技メダル等の受入判定装置に関する。
【０００２】
【従来の技術】
例えばスロットマシンは、メダル投入口に遊技メダルを投入し、ゲーム開始スイッチを操作することで、ゲームが開始される。このような遊技メダルを使用する遊技機は、適正な方法で投入された正規の遊技メダルだけを受け入れるためのメダルセレクタを備えている。メダルセレクタは、メダル投入口と本機を結ぶメダル通路の前半部に所定の寸法範囲の遊技メダルだけを選別して通過させる選別機構が設けられ、それに続く通路の後半部には遊技メダルの通過を検出するフォトセンサを使用した検出器が設けられている。検出器が遊技メダルを検出すると、遊技メダルが本機に受け入れられて、ゲーム開始可能な状態になる。
【０００３】
従来より、この種の遊技メダルを使用する遊技機には、糸につないだ遊技メダルをメダル投入口から投入し、検出器の前を一旦通過させてゲーム開始可能な状態にしてから、糸をたぐり寄せて遊技メダルをメダル投入口側に引き戻すことにより、遊技メダルを何度も不正に再使用する不正遊技が行われるおそれがあった。
【０００４】
そこで、上記不正遊技を防止するために、図５に示すように、メダル通路７に複数の検出器１３，１４を遊技メダルの移動方向に並べて配置し、上流側の検出器１３が検出信号を出力したのち下流側の検出器１４が検出信号を出力した場合は正常と判定し、下流側の検出器１４が検出信号を出力したのち上流側の検出器１３が検出信号を出力した場合は異常と判定し、正常と判定されたときだけゲーム開始可能な状態とするように制御する遊技メダルの受入判定装置がある。
【０００５】
【発明が解決しようとする課題】
しかしながら、上記受入判定装置を具備した遊技機に対しても、次のような方法で不正遊技が行われることがある。すなわち、遊技メダル径よりも幅の狭いセルロイド板Ａ等をメダル投入口からメダル通路７に挿入し、そのセルロイド板Ａ等で検出器のフォトセンサの光を遮断することにより各検出器１３，１４を順に誤検出させて、遊技機をゲーム開始可能な状態にし、その後、フォトセンサを避けながらセルロイド板等を引き抜くのである。このようにすれば、遊技メダルを使用せずに何度でもゲームを行うことが可能である。
【０００６】
そこで、本発明は、このようなセルロイド板等を使用した不正遊技を検出し防止することのできる遊技メダル等の受入判定装置を提供することを課題としている。
【０００７】
【課題を解決するための手段】
上記課題を解決するために、本発明は次のように構成した。すなわち、本発明にかかる遊技メダル等の受入判定装置は、投入口と本機とを結ぶ通路の上流側と下流側とに、遊技メダル等の投入物の移動方向と交差する上下方向に投入物の通過を検出する２つづつのフォトセンサを設け、これら上流側と下流側のフォトセンサからの検出情報に基づき投入物を本機に受け入れるか否かを判定する遊技メダル等の受入判定装置において、上流側の２つのフォトセンサは、電気的に直列に接続し、下流側の２つのフォトセンサは、電気的に並列に接続して設けたことを特徴としている。
【０００８】
【発明の実施の形態】
以下、図面に表された本発明の実施の形態について説明する。
図１乃至図２はスロットマシンのメダルセレクタを表している。このメダルセレクタ１は、メインプレート２と、その前側に適当間隔を開けて設けた第一サブプレート及び第二サブプレート（図示せず）との間に、メダル投入口側の入口５と本機側の出口６とを結ぶメダル通路７が形成されている。メダル通路７の底部にあるメダル案内用のレールは前半部の第一レール８と後半部の第二レール９とからなり、第一レール８はメインプレート２と一体に設けられ、第二レール９は第二レール作動コイル１０により前後方向に移動可能に設けられている。
【０００９】
通常時は、第一レール８の延長上に第二レール９があり、遊技メダルＭが両レール８，９に案内されてメダル通路７を移動する。また、ゲーム中、ゲーム精算中、打ち止め時等には、第二レール作動コイル１０に通電出力することにより第二レール９が後方に移動し、メダル投入口から投入した遊技メダルＭが第二レール９から外れ落ち、メダル払出口を通って受け皿に返却されるようになる。
【００１０】
第一レール８の上方には、正規の遊技メダルＭよりも大きい遊技メダルＭの通過を規制するガイドスペーサ１１が設けられている。第一レール８とガイドスペーサ１１の間で遊技メダルＭが詰まった場合は、手動の返却ボタンを操作することによりキャンセル用プレート１２が詰まった遊技メダＭを押し出し、該遊技メダルＭが第一レール８から外れ落ちるようになっている。また、正規の遊技メダルよりも小さい遊技メダルＭは自重で後方に倒れ、第一レール８から外れ落ちる。第一レール８から外れ落ちた遊技メダルＭは、メダル払出口を通って受け皿に返却される。
【００１１】
第二レール９の上方には、遊技メダルＭの通過を検出するための２個の検出器１３，１４が遊技メダルの移動方向に並んで設けられている。各検出器１３，１４は、それぞれ上下２つづつのフォトセンサ１３ａ，１３ｂ，１４ａ，１４ｂを備えている。各フォトセンサは、その観測点に遊技メダル等の投入物が有るときＯＮ、投入物が無いときＯＦＦになる。
【００１２】
図３は遊技メダルの受入判定装置の構成を示すブロック図であり、同図に示すように、上流側検出器１３のフォトセンサ１３ａ，１３ｂは、遊技メダルの移動方向と交差する上下方向に並列に配置され、電気回路的には直列に接続されており、両方のフォトセンサ１３ａ，１３ｂがどちらもＯＮであるとき、検出器１３が検出信号を出力するようになっている。また、下流側検出器１４のフォトセンサ１４ａ，１４ｂも遊技メダルの移動方向と交差する上下方向に並列に配置され、電気回路的にも並列に接続されており、両フォトセンサ１４ａ，１４ｂのいずれか一つでもＯＮであるとき、検出器１４が検出信号を出力するようになっている。
【００１３】
これら検出器１３，１４の検出信号は制御部１５に送信されるが、正規の遊技メダルＭが適正に投入された場合における両検出器１３，１４の検出信号は、例えば図４のタイムチャートに示すように出力される。
【００１４】
制御部１５では、上記検出信号より、投入物が検出器１３，１４を通過する時間（例えば図５のＴ１，Ｔ２，Ｔ３等）を算出し、その算出された現在通過時間と正規の遊技メダルが投入された場合における標準通過時間とを比較することで、投入物が通路７を正常に移動しているか否かを判定するとともに、上流側検出器１３の検出信号と下流側検出器１４の検出信号の出力タイミングをチェックすることで、投入物が不審な動きしていない否かを判定する。そして、異常がない場合は、遊技機をゲーム開始可能な状態にし、異常がある場合は、遊技機をゲーム開始可能な状態にはせず、エラー表示器１６等に出力する。
【００１５】
異常が発生する原因としては、機械トラブルの他に、正規の遊技メダルではない遊技メダルが投入されたか、或は遊技メダル以外の物体、例えばセルロイド板等が通路７に挿入された場合等が考えられる。
【００１６】
前述の如く、上流側検出器１３は、遊技メダルの移動方向と交差する上下方向に並列に配置され、電気回路的には直列に接続された上下二つのフォトセンサ１３ａ，１３ｂの両方がＯＮにならないと出力信号を出力しないようになっているので、上下幅の狭いセルロイド板等では当該上流側検出器１３を誤検出させることはできない。また、前述の如く、下流側検出器１４は、遊技メダルの移動方向と交差する上下方向に並列に配置され、電気回路的にも並列に接続された上下二つのフォトセンサ１４ａ，１４ｂのうちいずれか一つでもＯＮになると検出信号を出力するようになっているので、上下幅の広いセルロイド板、或いは上下幅を変更可能なセルロイド板を使用する等、何からの方法で上流側検出器１３を誤検出させたとしても、セルロイド板等を引き戻すときに下流側検出器１４に確実に検出される。つまり、本実施の形態によれば、セルロイド板等を使用した不正遊技が行われにくく、しかも不正遊技を行おうとした場合に容易に発見することができる。
【００１７】
本実施の形態は、観測点として４個のフォトセンサを備えているが、出力ポートは従来構成と同様に２つである。したがって、従来構成のメダルセレクタを交換するだけで、制御部の回路基板や制御プラグラムの変更をすることなく、本実施の形態の構成にすることができる。
【００１８】
【発明の効果】
上記説明から明らかなように、この発明にかかる遊技メダル等の受入判定装置は、上流側の２つのフォトセンサは、電気的に直列に接続し、下流側の２つのフォトセンサは、電気的に並列に接続して設ける構成により、幅の狭いセルロイド板等を使用して上下検出器を誤検出させることができないので、不正遊技を行いにくく、しかも不正遊技を容易に発見できるようになった。
【図面の簡単な説明】
【図１】メダルセレクタの一部を省略した正面図である。
【図２】図１のＳ−Ｓ断面図である。
【図３】遊技メダル等の受入判定装置のブロック図である。
【図４】検出信号のタイムチャートである。
【図５】従来のメダルセレクタの要部の構成を表す図である。
【符号の説明】
１  メダルセレクタ
７  メダル通路
１３，１４  検出器
１３ａ，１３ｂ，１４ａ，１４ｂ  フォトセンサ（観測点）
１５  制御部
【図１】
0003612681.tif 000002
【図２】
0003612681.tif 000003
【図３】
0003612681.tif 000004
【図４】
0003612681.tif 000005
【図５】
0003612681.tif 000006